(57)【要約】【課題】  ガスケットに固着される防塵ネットの弛みや剥がれを防止することができるガスケット及びスピーカ装置を提供する。【解決手段】  スピーカユニット２３が取り付けられるキャビネット２５と該スピーカユニット２３との間に介装されるガスケット２７は、スピーカユニット２３とキャビネット２５との間に挟持される環状部４１と、該環状部４１の内側に一体的に架設された支持リ４３ブとに、防塵ネット２９が溶着されている。【選択図】    図３
2005229223.tif 000002
【特許請求の範囲】
【請求項１】
スピーカユニットが取り付けられるキャビネットと該スピーカユニットとの間に介装されるガスケットであって、
前記スピーカユニットと前記キャビネットとの間に挟持される環状部と、該環状部の内側に一体的に架設された支持リブとに、防塵ネットが固着されていることを特徴とするガスケット。
【請求項２】
前記支持リブが、前記環状部の径方向に沿って設けられた直線状リブと、該直線状リブと交差するように前記環状部の内側に同心状に設けられた環状リブと、を備えることを特徴とする請求項１に記載のガスケット。
【請求項３】
スピーカユニットが取り付けられるキャビネットと該スピーカユニットとの間にガスケットが介装されたスピーカ装置であって、
前記ガスケットが、前記スピーカユニットと前記キャビネットとの間に挟持される環状部と、該環状部の内側に一体的に架設された支持リブとを一体形成した構造を有し、
前記環状部及び前記支持リブに、防塵ネットが固着されていることを特徴とするスピーカ装置。
【請求項４】
前記支持リブが、前記環状部の径方向に沿って設けられた直線状リブと、該直線状リブと交差するように前記環状部の内側に同心状に設けられた環状リブと、を備えることを特徴とする請求項３に記載のスピーカ装置。
【発明の詳細な説明】
【技術分野】
【０００１】
本発明は、ガスケット及びスピーカ装置に関する。
【背景技術】
【０００２】
従来のスピーカ装置は、可能な限りの小型軽量化が要求され、スピーカユニットの前面側に配置する防塵ネットの組付け構造等にも、部品点数の削減による構成の単純化等が図られてきた。
図１及び図２は、このようなスピーカ装置における防塵ネットの組付け構造の従来例を示したものである（例えば、特許文献１参照）。
【０００３】
図１に示したスピーカ装置１は、スピーカユニット３を、その背後から被せられるスピーカホルダー５を介して携帯機器のキャビネット７に挟持・固定する構成であり、キャビネット７とスピーカユニット３との間の隙間を塞ぐリング状のスペーサー（ガスケット）９の前面には、防塵ネット１１が貼合わされている。
【０００４】
スピーカユニット３は、図２に示すように、磁気回路等が組み込まれたフレーム３ａの前面にコーン型の振動板３ｂが装備された構成である。
スピーカホルダー５は、スピーカユニット３のフレーム３ａの外周縁を押さえるリング状のホルダー本体５ａと、このホルダー本体５ａの外周に一体装備された取付用のフランジ部５ｂとを有した構造であり、フランジ部５ｂをキャビネット７側に装備された取付用ボス７ａにネジ８でねじ止めすることで、キャビネット７に固定される。
【０００５】
キャビネット７には、スピーカ形状の範囲に複数の小径の音孔７ｂが貫通形成されている。
スペーサー９は、振動板３ｂの外周縁を押さえる単純なリング状の板材であり、スピーカの固定圧力の調整も可能とされている。
防塵ネット１１は、ナイロン繊維等で造られる軽量のメッシュシートを、スペーサー９の外径に合わせて切り抜いたもので、外周縁をスペーサー９の前面に貼合わせることによって、スペーサー９に一体化されている。
【０００６】
【特許文献１】特開平１１−４４９３号公報
【発明の開示】
【発明が解決しようとする課題】
【０００７】
ところが、上述したようなスピーカ装置１における防塵ネット１１は、その外周縁のみをスペーサー９に接着することにより固定されており、防塵ネット１１の大きさに対して接着面積が著しく小さいため、十分な接着強度を確保することが難しく、温度変化や湿度変化による防塵ネット１１の伸縮によって、防塵ネット１１に弛みや剥がれが生じることがある。その結果、弛みや剥がれを生じた防塵ネット１１が、スピーカユニット３の振動板３ｂの振動に共振して、異音の発生を招くという問題が一例として挙げられる。
【課題を解決するための手段】
【０００８】
請求項１に記載の発明は、スピーカユニットが取り付けられるキャビネットと該スピーカユニットとの間に介装されるガスケットであって、
前記スピーカユニットと前記キャビネットとの間に挟持される環状部と、該環状部の内側に一体的に架設された支持リブとに、防塵ネットが固着されていることを特徴とする。
【０００９】
又、請求項３に記載の発明は、スピーカユニットが取り付けられるキャビネットと該スピーカユニットとの間にガスケットが介装されたスピーカ装置であって、前記ガスケットが、前記スピーカユニットと前記キャビネットとの間に挟持される環状部と、該環状部の内側に一体的に架設された支持リブとを一体形成した構造を有し、前記環状部及び前記支持リブに、防塵ネットが固着されていることを特徴とする。
【発明を実施するための最良の形態】
【００１０】
本発明に係わるガスケット及びスピーカ装置の実施の形態について説明する。
本発明のガスケットは、スピーカユニットが取り付けられるキャビネットと該スピーカユニットとの間に介装されるガスケットであり、前記スピーカユニットと前記キャビネットとの間に挟持される環状部と、該環状部の内側に一体的に架設された支持リブとに、防塵ネットが固着されている。
【００１１】
即ち、ガスケットにおける環状部の内側に一体的に架設された支持リブが、環状部と共に防塵ネットの固着部として機能することから、防塵ネットとの固着面積が増大されることになり、固着面積の増大によって十分な固定強度を確保することができる。
そこで、温度変化や湿度変化による防塵ネットの伸縮を低減させて、防塵ネットに弛みや剥がれが発生することを防止することができる。又、超音波溶着等により熱溶着する際の防塵ネットの弛みも防止することができる。
【００１２】
更に、前記支持リブが、前記環状部の径方向に沿って設けられた直線状リブと、該直線状リブと交差するように前記環状部の内側に同心状に設けられた環状リブと、を備えることにより、延在方向の異なるリブ相互が交差して接合されて、リブによるガスケット自体の強度アップ方向が多方向になり、ガスケットの全域に方向性のない均等な強度アップを実現することができる。
【００１３】
その上、ガスケット上の防塵ネットへの固着面は、互いに交差して配備された直線状リブ及び環状リブの存在によって、防塵ネットの略全域にほぼ均等に分散配置されるため、防塵ネット上のガスケットへの固着箇所相互の間隔を小さく、均等化することができ、防塵ネットの弛みや剥がれの発生を効果的に抑止することができる。
【００１４】
又、本発明のスピーカ装置は、スピーカユニットが取り付けられるキャビネットと該スピーカユニットとの間にガスケットが介装されたスピーカ装置であり、前記ガスケットが、前記スピーカユニットと前記キャビネットとの間に挟持される環状部と、該環状部の内側に一体的に架設された支持リブとを一体形成した構造を有し、前記環状部及び前記支持リブに、防塵ネットが固着されている。
【００１５】
即ち、スピーカ装置におけるガスケットが、スピーカユニットとキャビネットとの間に挟持される環状部と、該環状部の内側に一体的に架設された支持リブとを一体形成した構造を有し、これら環状部及び支持リブに防塵ネットが固着されている。
そこで、ガスケットの環状部の内側に一体的に架設された支持リブが、環状部と共に防塵ネットの固着部として機能することから、防塵ネットとの固着面積が増大されることになり、固着面積の増大によって十分な固定強度を確保することができる。
従って、温度変化や湿度変化による防塵ネットの伸縮を低減させて、防塵ネットに弛みや剥がれが発生することを防止することができ、弛みや剥がれが生じた防塵ネットがスピーカユニットの振動に共振して異音を発生するのを防止できる。
【実施例】
【００１６】
以下、本発明の一実施例に係るガスケット及びスピーカ装置について、図面を参照して詳細に説明する。
図３及び図４は、本発明の一実施例に係るスピーカ装置の半断面側面図及び正面図である。
【００１７】
本実施例のスピーカ装置２１は、図３に示すように、スピーカユニット２３が取り付けられるキャビネット２５と該スピーカユニット２３との間にガスケット２７が介装されている。該ガスケット２７には、後述する防塵ネット２９が固着されている。
本実施例のスピーカユニット２３は、所謂コーン形のスピーカユニットであり、磁気回路３１を組み付けたスピーカフレーム３２の中心にコーン形の振動板３３を配置している。
【００１８】
振動板３３の外周部には、断面がループ状のエッジ３４が接合されており、このエッジ３４の外周縁３４ａが前記スピーカフレーム３２のエッジ取付用フランジ部３２ａに固定される。
振動板３３の中心には、ボイスコイル３５を巻回したボイスコイルボビン３６が接合されている。このボイスコイルボビン３６は、中心軸方向に移動自在に、磁気回路３１に形成された磁気ギャップに配置されると共に、コルゲートダンパ３７によってスピーカフレーム３２に浮遊支持されている。
【００１９】
スピーカフレーム３２の背面には、一対の入力端子３８が装備されている。この一対の入力端子３８には、リード線３９を介してボイスコイル３６の両端が接続されている。
キャビネット２５の振動板３３に対向する領域２５ｂには、図示はしていないが、振動板３３の発生する音の放射を妨げないように、適宜口径を有する音孔が貫通形成されている。
スピーカフレーム３２にはキャビネット２５への取付穴３２ｂ（図４参照）が形成されており、該取付穴３２ｂを挿通するネジ部材によって、スピーカユニット２３がキャビネット２５に固定される。
【００２０】
本実施例のガスケット２７は、スピーカユニット２３におけるスピーカフレーム３２のエッジ取付用フランジ部３２ａとキャビネット２５の内面２５ａとの間に挟持される円環状の環状部４１と、該環状部４１の内側に一体的に架設された支持リブ４３とを、合成樹脂等で一体成形した構造である。
【００２１】
更に、支持リブ４３は、図４に示すように、環状部４１の径方向に沿って設けられた直線状リブ４３ｂと、該直線状リブ４３ｂと交差するように環状部４１の内側に同心状に設けられた円環状の環状リブ４３ａと、を備えている。
本実施例の場合、環状リブ４３ａは一本であるが、直線状リブ４３ｂはスピーカの中心軸回りに９０°間隔で四本存在するように構成されている。
【００２２】
防塵ネット２９は、ナイロン繊維等で造られる軽量のメッシュシートを、ガスケット２７の前面の外径に合わせて切り抜いたものであり、ガスケット２７を構成している環状部４１及び支持リブ４３のそれぞれに超音波溶着により熱溶着されて一体化されている。
尚、本実施例のガスケット２７は、キャビネット２５とスピーカユニット２３との間の隙間を塞ぐと共に、振動板３３の外周部に接合されたエッジ３４の外周縁３４ａをスピーカユニット２３のフレーム３２に押さえ付ける役割も果たしている。
【００２３】
以上に説明した本実施例のスピーカ装置２１によれば、防塵ネット２９が溶着されるガスケット２７は、スピーカユニット２３とキャビネット２５との間に挟持される環状部４１が、その内側に一体的に架設された支持リブ４３によって補強されるため、機械的強度が増大するので、ガスケット２７の部分的な変形が原因となって防塵ネット２９に弛みや剥がれが生じることを防止できる。
【００２４】
また、ガスケット２７における環状部４１の内側に一体的に架設された支持リブ４３が、環状部４１と共に防塵ネット２９の溶着部として機能することから、防塵ネット２９との溶着面積が増大されることになり、溶着面積の増大によって十分な固定強度を確保することができる。
そこで、温度変化や湿度変化による防塵ネット２９の伸縮を低減させて、防塵ネット２９に弛みや剥がれが発生することを防止することができる。又、超音波溶着により熱溶着する際の防塵ネット２９の弛みも防止することができ、ガスケット２７に対する防塵ネット２９の溶着作業が容易となる。
【００２５】
更に、本実施例のガスケット２７は、支持リブ４３が、環状部４１の径方向に沿って設けられた直線状リブ４３ｂと、該直線状リブ４３ｂと交差するように環状部４１の内側に同心状に設けられた環状リブ４３ａと、を備えることにより、延在方向の異なるリブ相互が交差して接合されて、支持リブ４３によるガスケット自体の強度アップ方向が多方向になり、ガスケット２７の全域に方向性のない均等な強度アップを実現することができる。
【００２６】
その上、ガスケット２７上の防塵ネット２９への溶着面は、互いに交差して配備された直線状リブ４３ｂ及び環状リブ４３ａの存在によって、防塵ネット２９の略全域に均等に分散配置されるため、防塵ネット２９上のガスケット２７への溶着箇所相互の間隔を小さく、均等化することができ、防塵ネット２９の弛みや剥がれの発生を効果的に抑止することができる。
従って、本実施例のスピーカ装置２１は、弛みや剥がれが生じた防塵ネットがスピーカユニット２３の振動に共振して異音を発生するのを防止できる。
【００２７】
尚、本発明のガスケット及びスピーカ装置におけるスピーカユニット、キャビネット、支持リブ、直線状リブ及び環状リブ等の構成は、上記実施例の構成に限定されるものではなく、本発明の趣旨に基づいて種々の形態を採りうることは勿論である。
例えば、ガスケット２７に一体形成される環状リブ４３ａ及び直線状リブ４３ｂの本数や間隔等も、上記実施例に限定されず防塵ネット２９とガスケット２７とを溶着するのに必要な溶着強度に応じて、適宜選択される。但し、支持リブは、スピーカユニット２３の振動板３３からの音の放出を邪魔することがないようにしなければならず、例えば細身に形成することが望ましい。
【００２８】
また、上記実施例のガスケット２７は、コーン形の振動板３３に対応して環状部４１が円環状とされているが、振動板の形状に応じて環状部を楕円形状や長円形状等に形成することもできる。
【図面の簡単な説明】
【００２９】
【図１】従来のスピーカ装置の分解斜視図である。
【図２】図１に示したスピーカ装置の縦断面図である。
【図３】本発明の実施例に係るスピーカ装置の半断面側面図である。
【図４】図３に示したスピーカ装置の正面図である。
【符号の説明】
【００３０】
２１  スピーカ装置
２３  スピーカユニット
２５  キャビネット
２７  ガスケット
２９  防塵ネット
３２  スピーカフレーム
３３  振動板
３４  エッジ
４１  環状部
４３  支持リブ
４３ａ  環状リブ
４３ｂ  直線状リブ
【図１】
2005229223.tif 000003
【図２】
2005229223.tif 000004
【図３】
2005229223.tif 000005
【図４】
2005229223.tif 000006